(57)【要約】      （修正有）【課題】データの一部が異なる製品について、生産開始から出荷又は保管の前まで同じ製造ラインで製造することができるとともに、梱包した状態で仕向地の変更ができるようにする。【解決手段】伴奏データのアドレス情報を記憶する回路、および、所定の電磁波を受信する期間に一時的に作動して、その電磁波を介して外部から送信される伴奏データのアドレス情報を記憶するの回路を有する電子鍵盤楽器が梱包ダンボール２００a〜２００ｃに収容された状態で、その梱包ダンボール２００ａ〜２００ｃに対して電磁波を輻射して、梱包ダンボール２００ａ〜２００ｃの外面に表示されている仕向地２０２に対応した伴奏データのアドレス情報を、電磁波によって回路に送信して記憶させるリーダ・ライタ端末３００を備えている。【選択図】図２
2008143671.tif 000002
【特許請求の範囲】
【請求項１】
所定の電波を受信する受信手段、当該電波の受信に応答して作動するとともに当該電波を介して外部から送信される情報が記憶可能な第1の記憶手段、及び当該第１の記憶手段に記憶された情報を転送する転送手段を有する第1の回路ブロック手段と、この転送手段から転送された情報を記憶する第２の記憶手段及びこの第２の記憶手段に記憶された情報に基づいて処理を行う処理手段を有する第２の回路ブロック手段と、を有する装置と、
この装置本体が収容可能であり、外部表面上に当該装置本体が収納された状態で前記受信手段が外部から輻射される電波を受信可能な領域を示す識別マークを付した梱包手段と、
この梱包手段外部より所定の情報を含む電波を送信する送信手段と、
を備えたことを特徴とする情報制御システム。
【請求項２】
前記第1の回路ブロック手段は、さらに前記受信手段にて受信する電波に基づく電磁誘導によって電源を発生する電源発生手段を有し、当該電波を受信する期間のみ前記第１の記憶手段を作動することを特徴とする請求項１に記載の情報制御システム。
【請求項３】
前記送信手段は、前記装置の仕様に関する情報を送信することを特徴とする請求項１に記載の情報制御システム。
【請求項４】
前記第１の記憶手段は、外部からの電波が停止された後においても情報を保存する不揮発性メモリを有し、前記装置は、前記梱包手段から取り出されて所定の電源投入操作がされた起動時に、前記第２の回路ブロック手段及び転送手段に電源を供給して作動させ、前記不揮発性メモリに記憶されている情報を読み出して前記第２の記憶手段に転送して記憶させることを特徴とする請求項１に記載の情報制御システム。
【請求項５】
前記第２の記憶手段及び転送手段は、予め内蔵された電源により作動されており、前記第１の記憶手段が作動した際に当該第１の記憶手段に記憶された情報を転送するとともに、この転送された情報を前記第２の記憶手段に記憶することを特徴とする請求項１記載の情報制御システム。
【請求項６】
前記送信手段は、前記情報を圧縮して送信し、前記第２の記憶手段は、前記第１の記憶手段から転送された情報を伸長しながら記憶することを特徴とする請求項１に記載の情報制御システム。
【請求項７】
前記送信手段は、既に前記第２の記憶手段に記憶されている情報と追加および又は削除すべき情報との差分の情報のみを送信し、前記第２の記憶手段は、前記第１の記憶手段から転送される差分の情報に基づいて既に記憶されている情報を変更することを特徴とする請求項１に記載の情報制御システム。
【請求項８】
所定の情報を含む電波を送信する送信手段と、梱包手段に収容され、当該梱包手段の外部表面上に付された識別マークにより示される受信可能領域に前記送信手段が入ったときに前記送信された電波を受信することにより当該電波に含まれる情報に基づく処理を行う装置と、を有する情報制御システムに適用される装置であって、
前記送信手段からの電波を受信する受信手段、当該電波の受信に応答して作動するとともに当該電波を介して外部から送信される情報が記憶可能な第1の記憶手段、及び当該第１の記憶手段に記憶された情報を転送する転送手段を有する第1の回路ブロック手段と、
この転送手段により前記第１の記憶手段から転送された情報を記憶する第２の記憶手段及びこの第２の記憶手段に記憶された情報に基づいて処理を行う処理手段を有する第２の回路ブロック手段と、
を備えたことを特徴とする装置。
【請求項９】
前記第２の記憶手段および前記転送手段は、前記梱包手段から取り出されて所定の電源投入操作がなされたときに作動し、前記転送手段は、当該作動の開始後に前記第１の記憶手段に記憶された情報を前記第２の記憶手段に転送して記憶させることを特徴とする請求項８に記載の装置。
【発明の詳細な説明】
【技術分野】
【０００１】
本発明は、情報制御システムおよびそのシステムを利用する装置に関し、特に、共通の機能と個別の機能とを併せ持つ装置の情報を制御する情報制御システムおよびその装置に関するものである。
【背景技術】
【０００２】
一般に、様々な電子機器などの装置においては、機能を実行するための制御プログラムおよびデータを内部のＲＯＭ、ＳＲＡＭ、フラッシュメモリなどの不揮発性メモリに格納している。その装置が出荷されて製品としてユーザに販売された後、商用電源又はバッテリなどの電源がその製品に接続されると、ＣＰＵなどの制御手段によって不揮発性メモリから制御プログラムおよびデータが読み出され、所定の機能が実行される。ところが、同じ製品であっても全ての機能が同一であるとはかぎらない。その顕著な例がパソコンや携帯情報端末である。パソコンのワープロ機能や携帯情報端末の辞書機能の言語は、その仕向地すなわち輸出先の国によって異なっている。また、電子鍵盤楽器においても、仕向地によって独特の音色データを用意する場合が多い。例えば、中国向けの製品には「二胡」の音色データが用意され、インド向けの製品には「シタール」の音色データが用意されている。
【０００３】
このため、仕向地ごとにデータを不揮発性メモリに格納し、製品のモデル名の末尾に仕向地を識別する文字、記号、番号などを付加して、生産管理や保管管理が行われる。さらに、製品を収納する梱包ダンボールの外面に仕向地を識別するラベルが貼付され、出荷先を間違わないような対策が採られている。
【０００４】
また、生産管理や保管管理は仕向地だけに限らず、同じ国内に出荷される製品が少量多種の場合にも、製品を収納する梱包ダンボールの外面に製品の仕様を識別するモデル名が印刷され、販売店に出荷すべき機種を間違わないような対策が採られている。
【０００５】
このような仕向地や製品の仕様に応じた生産管理、保管管理、および出荷管理を行うことは煩雑であるという課題があった。従来、この課題を解決するために様々な対策が提案されている。
例えば、ある提案の物品の送付方法においては、梱包箱に入った製品をパレット単位で出荷する場合、ＩＣカードを利用して製品の誤出荷を未然に防ぐために、出荷先別にパレットに積み込まれた梱包箱に添付されているラベルのバーコードを携帯可能な情報端末で読み込み、パレット上に出荷先の異なる梱包箱が積み込まれていないかを事前にチェックするとともに、読み込んだ情報を記憶させたＩＣカードをパレットに添付し、パレットは出荷するまでの期間、出荷ヤードに一時的に仮置きしておき、パレットを出荷する場合は運搬車両に積み込む前にパレットのＩＣカードを携帯可能な情報端末で読み込み、出荷先と重量のチェックを行うようになっている。（特許文献１参照）
また、ある提案のカラー受像管の生産方法においては、他品種混合生産ラインにより各品種のカラー受像管を生産する際に、仕分装置を用いることなく設備コストおよびスペースを低減させるとともに、短いリードタイムによるスムーズな出荷を可能とするために、出荷検査工程で、検査装置によって特性を検査し、ラベル貼付装置によってラベルを貼付し、ラベルに基づき複数品種のカラー受像管を品種ごとに対応する梱包箱に順次箱詰めするようになっている。（特許文献２参照）
また、ある提案の商品出荷システムおよびそれに使用されるタグにおいては、少量他品種の商品を小売店舗などへ簡単かつ確実に一括して（単一の梱包箱に収納して）出荷できるようにするため、少量他品種の商品に商品タグを添付して梱包箱に一括して収納し、梱包箱の外面に出荷明細タグを添付して出荷する。これら出荷明細タグおよび商品タグは、一面に磁気又は熱により発色し、書き換え可能な印字層を有し、内部には半導体チップを有する。これら印字層および半導体チップには、それぞれ出荷情報が可視的および電子的に読み取り可能に印字／記録される。（特許文献３参照）
また、ある提案の梱包内容確認用ラベルおよびその印字システムにおいては、多数の収納箱に対して商品や物品を収納して出荷や保管を行う場合にも、収納箱を取り違えることなく、印字された内容物の画像データと実際に収納された内容物とが一致した状態を実現するために、撮像部によって梱包時に収納箱に収納された内容物を撮像すると共に、リーダ部によって収納箱のＲＦＩＤに記録されている箱情報を読み取り、撮像部による撮像によって取り込まれた画像データを梱包内容確認用ラベルに印字すると共に、リーダ部によって読み取られた箱情報を梱包内容確認用ラベルのＲＦＩＤに書き込んで記録させることにより、収納箱と梱包時の内容物の状態を示す画像データとの整合を取るようになっている。（特許文献４参照）
【特許文献１】特開平１１−１０６０１０号公報
【特許文献２】特開２００１−６０４３８号公報
【特許文献３】特開２００４−１０７０７６号公報
【特許文献４】特開２００６−２９２９６０号公報
【発明の開示】
【発明が解決しようとする課題】
【０００６】
しかしながら、上記各特許文献においては、データの一部が異なる製品の場合には、生産開始から出荷又は保管までの製造ラインを別途用意する必要がある。さらに、製品を梱包した後に仕向地が変更された場合には、梱包を解いて製品を取り出し、データを格納した不揮発性メモリを交換するなどの作業が必要である。
本発明は、このような従来の課題を解決するためのものであり、データの一部が異なる製品について、生産開始から出荷又は保管の前まで同じ製造ラインで製造することができるとともに、梱包した状態で仕向地の変更ができるようにすることを目的とする。
【課題を解決するための手段】
【０００７】
請求項１に記載の情報制御システムは、所定の電波を受信する受信手段及び当該電波の受信に応答して作動するとともに当該電波を介して外部から送信される情報が記憶可能な第1の記憶手段及び当該第１の記憶手段に記憶された情報を転送する転送手段を有する第1の回路ブロック手段と、この転送手段から転送された情報を記憶する第２の記憶手段及びこの第２の記憶手段に記憶された情報に基づいて処理を行う処理手段を有する第２の回路ブロック手段と、を有する装置と、この装置本体が収容可能であり、外部表面上に当該装置本体が収納された状態で前記受信手段が外部から輻射される電波を受信可能な領域を示す識別マークを付した梱包手段と、この梱包手段外部より所定の情報を含む電波を送信する送信手段と、を備えたことを特徴とする。
【０００８】
請求項１の情報制御システムにおいて、請求項２に記載したように、前記第1の回路ブロック手段は、さらに前記受信手段にて受信する電波に基づく電磁誘導によって電源を発生する電源発生手段を有し、当該電波を受信する期間のみ前記第１の記憶手段を作動することを特徴とする。
【０００９】
請求項１の情報制御システムにおいて、請求項３に記載したように、前記送信手段は、前記装置の仕様に関する情報を送信することを特徴とする。
【００１０】
請求項１の情報制御システムにおいて、請求項４に記載したように、前記第１の記憶手段は、外部からの電波が停止された後においても情報を保存する不揮発性メモリを有し、前記装置は、前記梱包手段から取り出されて所定の電源投入操作がされた起動時に、前記第２の回路ブロック手段及び転送手段に電源を供給して作動させ、前記不揮発性メモリに記憶されている情報を読み出して前記第２の記憶手段に転送して記憶させることを特徴とする。
【００１１】
請求項１の情報制御システムにおいて、請求項５に記載したように、前記第２の記憶手段及び転送手段は、予め内蔵された電源により作動されており、前記第１の記憶手段が作動した際に当該第１の記憶手段に記憶された情報を転送するとともに、この転送された情報を前記第２の記憶手段に記憶することを特徴とする。
【００１２】
請求項１の情報制御システムにおいて、請求項６に記載したように、前記送信手段は、前記情報を圧縮して送信し、前記第２の記憶手段は、前記第１の記憶手段から転送された情報を伸長しながら記憶することを特徴とする。
【００１３】
請求項１の情報制御システムにおいて、請求項７に記載したように、前記送信手段は、既に前記第２の記憶手段に記憶されている情報と追加および又は削除すべき情報との差分の情報のみを送信し、前記第２の記憶手段は、前記第１の記憶手段から転送される差分の情報に基づいて既に記憶されている情報を変更することを特徴とする。
【００１４】
請求項８に記載の装置は、所定の情報を含む電波を送信する送信手段と、梱包手段に収容され、当該梱包手段の外部表面上に付された識別マークにより示される受信可能領域に前記送信手段が入ったときに前記送信された電波を受信することにより当該電波に含まれる情報に基づく処理を行う装置と、を有する情報制御システムに適用される装置であって、前記送信手段からの電波を受信する受信手段、当該電波の受信に応答して作動するとともに当該電波を介して外部から送信される情報が記憶可能な第1の記憶手段、及び当該第１の記憶手段に記憶された情報を転送する転送手段を有する第1の回路ブロック手段と、この転送手段により前記第１の記憶手段から転送された情報を記憶する第２の記憶手段及びこの第２の記憶手段に記憶された情報に基づいて処理を行う処理手段を有する第２の回路ブロック手段と、を備えたことを特徴とする。
【００１５】
請求項８の装置において、請求項９に記載したように、前記第２の記憶手段および前記転送手段は、前記梱包手段から取り出されて所定の電源投入操作がなされたときに作動し、前記転送手段は、当該作動の開始後に前記第１の記憶手段に記憶された情報を前記第２の記憶手段に転送して記憶させることを特徴とする。
【発明の効果】
【００１６】
本発明の情報制御システムおよび装置によれば、データの一部が異なる装置について、生産開始から出荷又は保管の前まで同じ製造ラインで製造することができるとともに、梱包した状態で仕向地の変更ができるという効果が得られる。さらに、ソフトウェアの開発を合理的に進めることが可能になる。
【発明を実施するための最良の形態】
【００１７】
以下、本発明による情報制御システムの第１および第２実施形態、並びに、いくつかの変形例について、外国に輸出されるために梱包される電子鍵盤楽器を例に採って、図を参照して説明する。
図１は、各実施形態や変形例において、電子鍵盤楽器１００が梱包ダンボール２００に収容されて、蓋を外して中味が見える状態を示す平面図である。図１において、電子鍵盤楽器１００は、梱包ダンボール２００内において緩衝材２０１によって固定されている。電子鍵盤楽器１００の背面側の所定位置には、外部から輻射される電磁波を受信するためのアンテナ１０１が設けられている。梱包ダンボール２００の外面からアンテナ１０１までの距離ｄは約５ｃｍになっている。
【００１８】
図２は、各実施形態における情報制御システムの構成を示す外観図である。図２において、出荷待ち状態又は保管待ち状態の３個の梱包ダンボール２００ａ、２００ｂ、２００ｃには、外面の所定箇所に仕向地を表示した仕向地ラベル２０２が貼付されている。ただし、各梱包ダンボール２００内の電子鍵盤楽器（図示せず）には、仕向地にかかわらず同一のデータが記憶されている。貼付された仕向地ラベル２０２に示すように、上の２個が中国向けに輸出され、下の１個がインド向けに輸出されることになっている。さらに、３個の梱包ダンボール２００において、収容されている電子楽器１００内部のアンテナの位置に対応して、梱包ダンボール２００外面の所定箇所には、アンテナの文字「ａｎｔｅｎｎａ」とアンテナマーク２０３とが印刷されている。
【００１９】
リーダ・ライタ端末３００およびこれに接続されたパソコン４００は、梱包ダンボール２００に収容された状態の電子鍵盤楽器１００に、データを送信して記憶されるためのデータ通信システムを構成する。リーダ・ライタ端末３００は、非接触型ＩＣカード技術を利用した電磁誘導の通信方式による近接型の端末であり、内部にアンテナコイル、制御回路、通信回路（図示せず）を持っている。リーダ・ライタ端末３００は、パソコン４００のキーボード４０１からの通信指令に応じて、２０ｃｍ以内の範囲で１３．５６ＭＨｚの電磁波３０１を介して、電子鍵盤楽器１００との間で双方向通信が可能である。上記したように、電子鍵盤楽器１００のアンテナ１０１は、梱包ダンボール２００の外面から約５ｃｍの距離になっているので、例えば、リーダ・ライタ端末３００をアンテナマーク２０３から５ｃｍ程度まで近づけると、十分に通信が可能である。電子鍵盤楽器１００から受信した応答（アクノリッジ）は、パソコン４００の表示装置４０２に表示されるとともに、スピーカ４０３からＢＥＥＰ音が発生される。この通信の詳細については後述する。
【００２０】
図３は、第１実施形態における図１の電子鍵盤楽器１００のシステム構成を示すブロック図である。図３に示すように、システム構成は、点線で囲まれたＢＬＯＣＫ−ＡおよびＢＬＯＣＫ−Ｂ、およびＢＬＯＣＫ−ＡとＢＬＯＣＫ−Ｂとを接続するＧＡＴＥ１２で構成されている。
ＢＬＯＣＫ−Ａは、従来の電子鍵盤楽器とほぼ同じ構成になっている。すなわち、ＣＰＵ（中央処理装置）１には、操作子２や鍵盤装置３が接続され、システムバスを介して、ＲＯＭ４、ＲＡＭ５、ＬＣＤＣ（液晶表示装置コントローラ）６、ＷＧ（音源）８が接続されている。ＣＰＵ１は、これら各部との間でコマンドおよびデータの授受を行って、この電子鍵盤楽器１００全体を制御する。
【００２１】
操作子２は、電源スイッチ、スタート／ストップスイッチ、音色設定スイッチ、音量設定スイッチなどのスイッチ群で構成され、ＣＰＵ１のスキャン信号によって各スイッチのオン又はオフが検出される。鍵盤装置３は、各鍵の演奏に応じて音高データおよびベロシティ（押鍵強弱）データからなる演奏データをＣＰＵ１に入力する。ＲＯＭ４は、少なくとも１回の書き込みや書き換えが可能なメモリで構成され、梱包ダンボール２００に収容される前は、仕向地である輸出先の国に共通する機能を実行するための制御プログラムおよび初期データを記憶している。ＲＡＭ５は、ＣＰＵ１のワークエリアであり、楽器の設定状態やユーザによる演奏データを一時的に記憶する。ＬＣＤＣ６は、液晶表示装置７に接続され、ＣＰＵ１からの表示コマンドに従って表示データを液晶表示装置７に出力して表示させる。ＷＧ８は、ＣＰＵ１からの発音指示およびパラメータのデータに従って、楽音波形データを生成してＡＭＰ９に出力し、スピーカ１０から発音させる。電源１１は、ＡＣコードで接続された商用電源から交流電圧を入力して、全波整流および平滑処理を行って、直流の定電圧ＶＣＣに変換し、操作子２の電源スイッチがオンされると、その定電圧ＶＣＣをＢＬＯＣＫ−Ａの各部およびＧＡＴＥ１２に供給する。ＣＰＵ１は、電源が供給された起動時には、ベクターアドレスからＲＯＭ４の初期化処理のプログラムを実行する。
【００２２】
ＢＬＯＣＫ−Ｂは、図２のリーダ・ライタ端末３００によって起動される本発明の特徴的な構成である。ＣＰＵ１３には、システムバスを介して、ＲＯＭ１４、ＲＡＭ１５、不揮発性のＥＥＰＲＯＭ（電気的書き換え可能ＲＯＭ）１６が接続され、入出力ポートを介して、ＲＦ・Ｉ／Ｆ（高周波インタフェース）１７に接続されている。ＲＦ・Ｉ／Ｆ１７には、図１に示したアンテナ１０１が接続されている。
【００２３】
ＲＯＭ１４には、ＣＰＵ１３によって実行される制御プログラムや初期データが格納されている。ＲＡＭ１５は、ＣＰＵ１３のワークエリアであり、ＣＰＵ１３によって処理されるデータを一時的に記憶する。ＥＥＰＲＯＭ１６は、電源がオンの期間に書き込まれたデータを電源がオフになった後も保存する。ＲＦ・Ｉ／Ｆ１７は、アンテナ１０１を介して、図２に示したリーダ・ライタ端末３００とＣＰＵ１３との間のデータ通信を処理する。
【００２４】
図４は、ＲＦ・Ｉ／Ｆ１７の内部構成を示すブロック図である。図５は、リーダ・ライタ端末３００とＢＬＯＣＫ−Ｂとの間における双方向通信を示す図である。図４において、電源発生回路１７１、データ送受信回路１７２、クロック生成回路１７３は、それぞれアンテナ端子に接続されている。図２の梱包ダンボール２００のアンテナマーク２０３から５ｃｍ以内の位置で、リーダ・ライタ端末３００から電磁波が輻射されると、電磁誘導によってアンテナ１０１に１３．５６ＭＨｚの高周波電流が流れる。アンテナ１０１は、例えば、プリント基板上に銅箔のパターンで形成されている。電源発生回路１７１は、この高周波電流を全波整流および平滑処理して、直流の定電圧ＶＣＣを発生し、データ送受信回路１７２、クロック生成回路１７３、リセット信号生成回路１７４、および、ＣＰＵ１３、ＲＯＭ１４、ＲＡＭ１５、ＥＥＰＲＯＭ１６に供給する。クロック生成回路１７３は、１３．５６ＭＨｚの高周波電流に同期したクロック信号又は１３．５６ＭＨｚを整数分の１に分周したクロック信号を発生して、ＣＰＵ１３、ＲＯＭ１４、ＲＡＭ１５、ＥＥＰＲＯＭ１６に供給する。リセット信号生成回路１７４は、電源発生回路１７１から供給される定電圧ＶＣＣによって、パワーオン・リセット信号を生成して、ＣＰＵ１３、ＲＯＭ１４、ＲＡＭ１５、ＥＥＰＲＯＭ１６に供給する。ＣＰＵ１３は、このリセット信号によってＲＯＭ１４から初期制御プログラムを読み出し、ＲＡＭ１５、ＥＥＰＲＯＭ１６のアドレスを初期化する。
【００２５】
アンテナ１０１から入力される１３．５６ＭＨｚの高周波電流は、図２に示したパソコン４００から輸出先である仕向地に対応したデータによって変調されている。すなわち、１３．５６ＭＨｚの搬送波にデータが含まれている。データ送受信回路１７２は、このデータを１３．５６ＭＨｚの搬送波から復調（抽出）してＣＰＵ１３、ＲＡＭ１５、ＥＥＰＲＯＭ１６に供給する。したがって、データ送受信回路１７を介して、リーダ・ライタ端末３００と電子鍵盤楽器１００との間に通信路が確立される。この場合の通信方式は、データを交互に送信する半二重方式である。このデータ通信の際には、ＣＰＵ１３は、ＲＯＭ１４から初期化プログラムを読み出して実行する。
【００２６】
この初期化処理によって、図５に示すように、まず、電子鍵盤楽器１００からリーダ・ライタ端末３００に対して準備完了コマンドが送信される。次に、リーダ・ライタ端末３００から開始コマンドが送信され、電子鍵盤楽器１００から応答を受信すると、データを送信する。データの送信が終了すると、終了コマンドが送信され、電子鍵盤楽器１００から記憶完了コマンドの応答を受信すると、電磁波の輻射を停止する。この結果、パソコン４００から送信された仕向地に対応したデータが不揮発性のＥＥＰＲＯＭ１６に記憶され、電磁波の輻射停止によってＥＥＰＲＯＭ１６に供給されていた定電圧ＶＣＣの電源がオフになった後も記憶されたデータが保存される。また、パソコン４００は、リーダ・ライタ端末３００を介して、電子鍵盤楽器１００から記憶完了コマンドの応答を受信すると、その応答内容を表示装置４０２に表示するとともに、スピーカ４０３からＢＥＥＰ音を発生して、オペレータに記憶完了の旨を通知する。
【００２７】
図６は、図３におけるＧＡＴＥ１２の内部回路図である。図６に示すように、ＧＡＴＥ１２は４個のスリーステートバッファのゲート回路Ｇ１〜Ｇ４で構成され、図の左側がＢＬＯＣＫ−Ａであり、右側がＢＬＯＣＫ−Ｂである。梱包ダンボール２００から電子鍵盤楽器１００が取り出されて、ユーザによって商用電源に接続され、電源スイッチがオンされると、ＢＬＯＣＫ−ＡおよびＧＡＴＥ１２に定電圧ＶＣＣが供給される。この後、ＧＡＴＥ１２を介して、ＢＬＯＣＫ−ＡのＣＰＵ１とＢＬＯＣＫ−ＢのＣＰＵ１３との間でデータ通信が行われる。
【００２８】
図７は、ＢＬＯＣＫ−ＡのＣＰＵ１とＢＬＯＣＫ−ＢのＣＰＵ１３との間のデータ通信処理のフローチャートである。
まず、ＢＬＯＣＫ−Ａにおいて、ＣＰＵ１の初期化設定を行う（ステップＳ１）。例えば、入出力ポートを初期化し、スタックポインタなどを設定し、ＧＡＴＥ１２のゲート回路Ｇ１〜Ｇ４の制御端子に入力されるＧＡＴＥ  ｃｏｎｔｒｏｌ信号をローレベルに設定し、ゲート回路Ｇ２に入力される／ＲＥＳ信号をローレベルに設定する。また、ＢＬＯＣＫ−ＢのＣＰＵ１３との間のシリアル通信（ＵＡＲＴ）のボーレイトを設定する。次に、ＲＡＭ５の初期化設定（ステップＳ２）、鍵盤装置３の初期化設定（ステップＳ３）、ＬＣＤＣ６の初期化設定（ステップＳ４）、ＷＧ８の初期化設定（ステップＳ５）がされた後、ＣＰＵ１からＧＡＴＥ１２のゲート回路Ｇ１〜Ｇ４の制御端子に接続されているＧＡＴＥ  ｃｏｎｔｏｌ信号をハイレベルにする（ステップＳ６）。この結果、図６のゲート回路Ｇ１〜Ｇ４が導通状態になり、ＢＬＯＣＫ−ＡのＣＰＵ１とＢＬＯＣＫ−ＢのＣＰＵ１３との間が接続される。
【００２９】
したがって、ＧＡＴＥ１２のゲート回路Ｇ１を介してＢＬＯＣＫ−Ａ側の定電圧ＶＣＣがＢＬＯＣＫ−Ｂ側に供給される。すなわち、図７において、ＢＬＯＣＫ−Ｂの電源がオフからオンに変化する（ステップＳ１２）。次に、ＢＬＯＣＫ−ＡのＣＰＵ１からハイレベルの／ＲＥＳ信号が、ＧＡＴＥ１２のゲート回路Ｇ２を介して、ＢＬＯＣＫ−ＢのＣＰＵ１３に入力されると（ステップＳ７）、ＣＰＵ１３が起動して、初期化プログラムを実行して初期化設定を行う（ステップＳ１３）。例えば、入出力ポートを初期化し、スタックポインタなどを設定する。次に、ＲＡＭ１５の初期化設定（ステップＳ１４）を実行し、ＧＡＴＥ１２のゲート回路Ｇ３を介して、初期化正常終了データである「ＳＩＯ−ＩＮ」をＢＬＯＣＫ−ＡのＣＰＵ１に送信する（ステップＳ１５）。
【００３０】
ＣＰＵ１は、「ＳＩＯ−ＩＮ」の入力があるか否かを判別し（ステップＳ８）、入力があったときは、ＧＡＴＥ１２のゲート回路Ｇ４を介して、仕向地コードを要求するために「ＳＩＯ−ＯＵＴ」の出力要求をＢＬＯＣＫ−ＢのＣＰＵ１３に送信する（ステップＳ９）。これを受信したＣＰＵ１３は、その要求された「ＳＩＯ−ＯＵＴ」に応じて、ＥＥＰＲＯＭ１６に保管されているデータをＢＬＯＣＫ−ＡのＣＰＵ１に送信する（ステップＳ１６）。ＣＰＵ１は、「ＳＩＯ−ＯＵＴ」の要求に応じた仕向地コードのデータ入力があるか否かを判別し（ステップＳ１０）、データ入力があったときは、その仕向地コードのデータに従って各パラメータの初期化処理を行う（ステップＳ１１）。すなわち、ＢＬＯＣＫ−ＡのＲＯＭ４にその仕向地コードのデータを書き込んで記憶させる。
【００３１】
図８は、伴奏データの格納アドレスのデータを示す図である。ＲＯＭ４にあらかじめ格納されている１０種類の伴奏のデータは、８ビートデータ、１６ビートデータ、ロックデータ、バラードデータ、ダンスデータ、ディスコデータ、ジャズデータ、ラテンデータ、ネイティブ１データ、ネイティブ２データである。これらの伴奏データは、「００００」から「０００９」までの各伴奏データ格納アドレスによって読み出すことができる。このうち、「００００」から「０００７」までの伴奏データ格納アドレスには、全仕向地共通の固定のアドレスで構成され、梱包ダンボールに収容される前に、製造ラインにおいて既にＲＯＭ４に格納されている。一方、「０００８」および「０００９」のネイティブ１データ格納アドレスおよびネイティブ２データ格納のアドレスは、仕向地コードに対応して、上記したように、梱包ダンボールに収容された後に書き込まれる。すなわち、図８に示すように、仕向地コード「００」はアメリカに輸出される場合のアドレス、仕向地コード「０１」は中国に輸出される場合のアドレス、仕向地コード「０２」はインドに輸出される場合のアドレスである。
【００３２】
すなわち、図８に示す伴奏データ格納アドレスにおいて、「０００８」および「０００９」のネイティブ１データ格納アドレスおよびネイティブ２データ格納のアドレスは、図２に示したように、梱包ダンボール２００に梱包された状態で、各仕向地に対応する仕向地コードとしてＢＬＯＣＫ−Ｂの不揮発性のＥＥＰＲＯＭ１６に書き込まれて保存され、輸出先のユーザによって電子楽器１００が梱包を解かれて電源が投入された時に、ＥＥＰＲＯＭ１６からＢＬＯＣＫ−ＡのＲＯＭ４に永続的に格納される。したがって、各仕向地に対応したネイティブ１データ、ネイティブ２データが伴奏データとして読み出され、他の仕向地に対応したネイティブ１データ、ネイティブ２データは読み出されない。
【００３３】
以上のように、上記第１実施形態によれば、１３．５６ＭＨｚの電磁波３０１を受信するＲＦ・Ｉ／Ｆ１７及びその電磁波３０１の受信に応答して作動するとともに、その電磁波３０１を介して外部から送信される伴奏データのアドレス情報が記憶可能なＥＥＰＲＯＭ１６及びこのＥＥＰＲＯＭ１６に記憶された伴奏データのアドレス情報を転送するＣＰＵ１３を有するＢＬＯＣＫ−Ｂと、このＣＰＵ１３から転送された伴奏データのアドレス情報を記憶するＲＯＭ４及びこのＲＯＭ４に記憶された伴奏データのアドレス情報に基づいて処理を行うＣＰＵ１を有するＢＬＯＣＫ−Ａを有する電子楽器１００と、この電子楽器１００本体が収容可能であり、外部表面上に電子楽器１００本体が収納された状態でＲＦ・Ｉ／Ｆ１７が外部から輻射される電磁波３０１を受信可能な領域を示すアンテナ位置マーク２０３を付した梱包ダンボール２００と、この梱包ダンボール２００の外部より伴奏データのアドレス情報を含む電磁波３０１を送信するリーダ・ライタ端末３００と、を備えた構成になっている。
したがって、データの一部が異なる製品について、生産開始から出荷又は保管の前まで同じ製造ラインで製造することができるとともに、梱包した状態で仕向地の変更ができる。さらに、ソフトウェアの開発の際に、仕向地によって異なる煩雑な部分と仕向地に関係ない共通の部分とを混在した状態で進める必要がないので、開発を合理的に進めることが可能になる。例えば、仕向地に関係ない共通の部分のソフトウェアを開発した後に、仕向地から製品の発注があったときに、その仕向地に対応する部分のソフトウェアを開発することができる。さらに、仕向地に関係ない共通の部分のソフトウェアに基づいて、複数の仕向地のそれぞれのソフトウェア開発を別個の開発スタッフが並行して進めることができる。
【００３４】
上記第１実施形態において、ＢＬＯＣＫ−Ｂの回路は、リーダ・ライタ端末３００から受信する電磁波に基づく電磁誘導によって電源を発生する電源発生回路１７１をＲＦ・Ｉ／Ｆ１７内に有し、その電磁波を受信する期間に一時的に作動する。
したがって、ＢＬＯＣＫ−Ｂに電池を設ける必要がない。
【００３５】
また、上記第１実施形態において、リーダ・ライタ端末３００は、電子鍵盤楽器１００の仕様に関する情報を送信する。すなわち、伴奏データのアドレス情報に限らず、練習曲やデモ曲のデータ、主旋律の一部の音色データ、通信プロトコルの一部のデータなどを送信する。
したがって、仕向地やバージョンの相違に関係ない共通の仕様に関するデータについては、製造プロセスの過程であらかじめＢＬＯＣＫ−Ａの回路に記憶し、製造が終了して梱包ダンボール２００に収容された後に、仕向地やバージョンの相違に対応する情報を送信して記憶させることで、製造プロセスの効率化やコストダウンを図ることができる。
【００３６】
また、上記第１実施形態において、電子鍵盤楽器１００の仕向地が表された仕向地ラベル２０２に対応した伴奏データのアドレス情報を送信する。
したがって、仕向地とは異なる伴奏データのアドレス情報を誤って送信することを防止できる。
【００３７】
また、上記第１実施形態において、ＢＬＯＣＫ−Ｂの回路は、リーダ・ライタ端末３００からの電磁波が停止された後においても、情報を保存する不揮発性のＥＥＰＲＯＭ１６を有し、電子鍵盤楽器１００は、梱包ダンボール２００から取り出されて、ＡＣ電源のコンセントにケーブルが接続され、電源スイッチが操作された起動時に、ＢＬＯＣＫ−Ｂの回路にその電源を供給して作動させ、ＥＥＰＲＯＭ１６に記憶されている伴奏データのアドレス情報を読み出して、ＢＬＯＣＫ−Ａの回路に転送して記憶させる。
したがって、仕向地ごとの伴奏データのアドレス情報は、ユーザが全く意識することなく、自動的にＢＬＯＣＫ−Ａの回路に転送して記憶できる。
【００３８】
また、上記第１実施形態において、リーダ・ライタ端末３００によって、電子鍵盤楽器１００から伴奏データのアドレス情報を記憶した旨を通知が受信されたときに、その通知を画像や音で報知する表示装置４０２やスピーカ４０３をパソコン４００に備えている。
したがって、パソコン４００のオペレータは、仕向地に対応する伴奏データのアドレス情報が、梱包ダンボール２００に収容されている電子鍵盤楽器１００に記憶されたことを画像や音で確認できる。
【００３９】
次に、本発明の第２実施形態について説明する。
図９は、第２実施形態における電子鍵盤楽器１００のシステム構成を示すブロック図である。図９において、図３に示した第１実施形態の構成要素と同じものは、同一の符号で表すとともに、図３の構成要素と異なる部分を重点的に説明する。図９に示すように、ＢＬＯＣＫ−Ａには電池１８が内蔵されている。この電池１８は、ＣＰＵ１、ＲＯＭ４、ＲＡＭ５からなる一部の回路からなるミニマム・システム１９だけに電源を供給する。また、第２実施形態においては、ＢＬＯＣＫ−ＡとＢＬＯＣＫ−Ｂとを接続するＧＡＴＥ１２は設けられていない。ＢＬＯＣＫ−ＡのＣＰＵ１とＢＬＯＣＫ−ＢのＣＰＵ１３とが直接接続されている。ただし、ＣＰＵ１３からのＢＯＯＯＴ信号がローレベルの状態では、ミニマム・システム１９のＣＰＵ１はスリープモードになっていて、ＢＯＯＯＴ信号の入力だけを監視している。また、第２実施形態においては、ＢＬＯＣＫ−Ｂに不揮発性のメモリであるＥＥＰＲＯＭ１６は設けられていない。
【００４０】
図２に示した第１実施形態と同様に、梱包ダンボール２００に収容された状態の電子鍵盤楽器１００に対して、リーダ・ライタ端末３００によって電磁波が輻射され、仕向地に対応した伴奏データのアドレス情報が送信されるが、その情報はＢＬＯＣＫ−ＢのＲＡＭ１５に記憶される。この場合に、ＣＰＵ１３は、ＲＯＭ１４の初期化プログラムを実行し、ＢＬＯＣＫ−ＡのＣＰＵ１に対してハイレベルのＢＯＯＴ信号を入力する。このＢＯＯＴ信号の入力に応じて、ミニマム・システム１９のＣＰＵ１はスリープモードからアクティブモードに遷移する。
【００４１】
アクティブモードにおいては、ミニマム・システム１９だけが動作して、ＣＰＵ１は、ＢＬＯＣＫ−Ｂからデータを転送する特殊通信プログラムを実行する。この特殊通信プログラムは、基本的に図７に示した第１実施形態のデータ転送処理と同じである。ただし、第２実施形態において、ＣＰＵ１はＢＬＯＣＫ−ＢのＲＡＭ１５から伴奏データのアドレス情報を読み出して、ＲＯＭ４に記憶して保存する。データ転送が終了した後は、ＣＰＵ１は、ＣＰＵ１３、ＲＦ・Ｉ／Ｆ１７、およびアンテナ１０１を経由して、伴奏データのアドレス情報を記憶した旨を通知する記憶完了コマンドの応答をリーダ・ライタ端末３００に対して送信する。パソコン４００は、リーダ・ライタ端末３００を介して、電子鍵盤楽器１００から記憶完了コマンドの応答を受信すると、その応答内容を表示装置４０２に表示するとともに、スピーカ４０３からＢＥＥＰ音を発生して、オペレータに記憶完了の旨を通知する。したがって、第１実施形態と同様に、パソコン４００のオペレータは、仕向地に対応する伴奏データのアドレス情報が、梱包ダンボール２００に収容されている電子鍵盤楽器１００に記憶されたことを画像や音で確認できる。
【００４２】
以上のように、上記第２実施形態によれば、ＢＬＯＣＫ−Ａの回路は、ＢＬＯＣＫ−Ｂの回路が一時的に作動して、リーダ・ライタ端末３００からの伴奏データのアドレス情報を記憶した際に、あらかじめ内蔵された電池１８によって作動して、ＢＬＯＣＫ−ＢのＲＡＭ１５に記憶されているその情報を読み出して記憶する。
したがって、この第２実施形態においても、データの一部が異なる製品について、生産開始から出荷又は保管の前まで同じ製造ラインで製造することができるとともに、梱包した状態で仕向地の変更ができる。さらに、ソフトウェアの開発の際に、仕向地によって異なる煩雑な部分と仕向地に関係ない共通の部分とを混在した状態で進める必要がないので、開発を合理的に進めることが可能になる。例えば、仕向地に関係ない共通の部分のソフトウェアを開発した後に、仕向地から製品の発注があったときに、その仕向地に対応する部分のソフトウェアを開発することができる。さらに、仕向地に関係ない共通の部分のソフトウェアに基づいて、複数の仕向地のそれぞれのソフトウェア開発を別個の開発スタッフが並行して進めることができる。
【００４３】
次に、上記第１実施形態および第２実施形態の変形例１ないし変形例３について説明する。第１実施形態および第２実施形態においては、製造ラインのオペレータが梱包ダンボール２００の外面に表示されているアンテナマーク２０３の位置にリーダ・ライタ端末３００を接近させて、伴奏データのアドレス情報を送信する構成になっている。次に説明する変形例１においては、オペレータが介在することなく、自動的に伴奏データのアドレス情報を送信する。以下、第１実施形態の図２を援用して変形例における情報制御システムを説明する。
【００４４】
変形例１においては、電子鍵盤楽器１００が収容された梱包ダンボール２００の外面に貼付された仕向地ラベル２０２には、仕向地の名称とともに、その仕向地を識別するためのバーコードが印刷されている。そして、梱包ダンボール２００のバーコードの位置から所定の距離Ｄだけ離れた位置を中心にアンテナマーク２０３が印刷されている。さらに、電子鍵盤楽器１００が収容された梱包ダンボール２００が一定の速度で搬送される出荷又は保管のための搬送ラインには、バーコード・リーダ端末と図２のリーダ・ライタ端末とが一体化された複合端末が所定位置に配置されている。
【００４５】
搬送ラインの搬送速度をｖとすると、複合端末によってバーコードが検出された梱包ダンボール２００が搬送されて、アンテナマーク２０３の中心が複合端末の位置までに要する時間ｔは、ｔ＝Ｄ／ｖで表される。したがって、バーコードが検出されたときに、そのバーコードに対応する仕向地の伴奏データのアドレス情報をパソコン４００から入力して、時間ｔが経過したときに、複合端末から梱包ダンボール２００に対して電磁波を輻射して、伴奏データのアドレス情報を送信する。ただし、上記第１実施形態および第２実施形態における近接型の通信方式では、通信距離が約２０ｃｍであるので、梱包ダンボール２００の幅よりも広い搬送路の搬送ラインで使用することは困難である。このような搬送ラインで使用する場合には、近接型の通信方式と同じ周波数の１３．５６ＭＨｚの電磁波で通信距離が約１ｍの近傍型の通信方式のほうが望ましい。
【００４６】
以上のように、上記変形例１によれば、伴奏データのアドレス情報を記憶するＢＬＯＣＫ−Ａの回路、および、所定の電磁波を受信する期間に一時的に作動して、その電磁波を介して外部から送信される伴奏データのアドレス情報を記憶するＢＬＯＣＫ−Ｂの回路を有する電子鍵盤楽器１００が梱包ダンボール２００に収容された状態で、出荷又は保管のための搬送ラインによって搬送中に、その梱包ダンボール２００に対して電磁波を輻射して、梱包ダンボール２００の外面に貼付されている仕向地ラベル２０２に対応した伴奏データのアドレス情報を、電磁波によってＢＬＯＣＫ−Ｂに送信して記憶させる端末を備えた構成になっている。
したがって、データの一部が異なる製品について、生産開始から出荷又は保管の前まで同じ製造ラインで製造することができるとともに、オペレータが介在することなく、自動的に梱包した状態で仕向地の変更ができる。
【００４７】
また、他の変形例２において、リーダ・ライタ端末３００は、圧縮された情報を送信してＢＬＯＣＫ−Ｂの回路に記憶させ、ＢＬＯＣＫ−ＡのＣＰＵ１は、ＢＬＯＣＫ−Ｂの回路に記憶された情報を伸長しながらＲＯＭ４に記憶する。
この場合には、ＢＬＯＣＫ−Ｂの回路の記憶容量、すなわち、第１実施形態におけるＥＥＰＲＯＭ１６又は第２実施形態におけるＲＡＭ１５の記憶容量が小さくできる上、リーダ・ライタ端末３００の送信時間を短縮することができる。
【００４８】
さらに、他の変形例３において、リーダ・ライタ端末３００は、既にＢＬＯＣＫ−ＡのＲＯＭ４に記憶されている情報と追加および又は削除すべき情報との差分の情報のみを送信してＢＬＯＣＫ−Ｂの回路に記憶させ、ＢＬＯＣＫ−ＡのＣＰＵ１は、ＢＬＯＣＫ−Ｂの回路に記憶された差分の情報に基づいて既に記憶されている情報を変更する。
この場合にも、ＢＬＯＣＫ−Ｂの回路の記憶容量、すなわち、第１実施形態におけるＥＥＰＲＯＭ１６又は第２実施形態におけるＲＡＭ１５の記憶容量が小さくできる上、リーダ・ライタ端末３００の送信時間を短縮することができる。
【００４９】
なお、上記各実施形態および各変形例において、ＲＯＭ４は、少なくとも１回の書き込みや書き換えが可能なメモリで構成されているが、電源オフ後もデータを保存できるＳＲＡＭに伴奏データのアドレス情報を記憶する構成にしてもよい。要は、ＣＰＵ１によってアクセスされるメモリ空間（内部メモリのエリアおよびメモリカード等の外部メモリのエリア）の中に、ＢＬＯＣＫ−ＢのＥＥＰＲＯＭ１６（第１実施形態）又はＲＡＭ１５（第２実施形態）に一時的に記憶された仕向地の伴奏データのアドレス情報を転送して記憶した後に、電源がオフされた場合でもその情報を保存できる書き換え可能な不揮発性のエリアがあればよい。
【００５０】
なおまた、上記各実施形態においては、梱包ダンボール２００に収容された状態の電子鍵盤楽器１００に対して、仕向地の伴奏データのアドレス情報を送信して記憶させる情報制御システムについて説明したが、各実施形態の情報制御ステムを利用する電子鍵盤楽器１００の発明、すなわち装置の発明を実現することは明らかである。
【００５１】
すなわち、本発明の装置である電子鍵盤楽器１００は、伴奏データのアドレス情報を含む電磁波３０１を送信するリーダ・ライタ端末３００と、梱包ダンボール２００に収容され、その梱包ダンボール２００の外部表面上に付されたアンテナ位置マーク２０３により示される受信可能領域にリーダ・ライタ端末３００が入ったときに、送信された電磁波３０１を受信することにより、その電磁波３０１に含まれる伴奏データのアドレス情報に基づく処理を行う情報制御システムに適用される装置であって、リーダ・ライタ端末３００からの電磁波３０１を受信するＲＦ・Ｉ／Ｆ１７、その電磁波３０１の受信に応答して作動するとともに、その電磁波３０１を介して外部から送信される伴奏データのアドレス情報が記憶可能なＥＥＰＲＯＭ１６又はＲＡＭ１５、及び、そのＥＥＰＲＯＭ１６又はＲＡＭ１５に記憶された伴奏データのアドレス情報を転送するＣＰＵ１３を有するＢＬＯＣＫ−Ｂと、このＣＰＵ１３によりＥＥＰＲＯＭ１６又はＲＡＭ１５から転送された伴奏データのアドレス情報を記憶するＲＯＭ４、及び、このＲＯＭ４に記憶された伴奏データのアドレス情報に基づいて処理を行うＣＰＵ１を有するＢＬＯＣＫ−Ａと、を備えている。
したがって、仕向地ごとにデータの一部が異なる場合でも、生産開始から出荷又は保管の前までは、同じ製造ラインで製造することができるとともに、梱包した状態で仕向地の変更ができる。
【００５２】
この場合において、第１実施形態の情報制御システムを利用する場合には、ＢＬＯＣＫ−ＡのＲＯＭ４およびＣＰＵ１などは、梱包ダンボール２００から取り出されて、ＡＣ電源のコンセントにケーブルが接続され、電源スイッチが操作された起動時に作動し、ＣＰＵ１は、その作動の開始後にＢＬＯＣＫ−Ｂの回路に記憶された伴奏データのアドレス情報を、ＲＯＭ４に転送して記憶させる。
したがって、伴奏データのアドレス情報について、ユーザが全く意識することなく、自動的にＢＬＯＣＫ−ＡのＲＯＭ４に転送して記憶できる。
【００５３】
あるいは、第２実施形態の情報制御システムを利用する場合には、ＢＬＯＣＫ−Ａのミニマム・システム１９のＣＰＵ１は、内蔵された電池１８によってスリープモード又はアクティブモードで作動し、スリープモードで作動中に、電源発生回路１７１によって電源が発生されたときには、アクティブモードに遷移して、ＢＬＯＣＫ−Ｂの回路に記憶された伴奏データのアドレス情報を、ＲＯＭ４に転送して記憶させる。
したがって、仕向地ごとにデータの一部が異なる場合でも、生産開始から出荷又は保管の前までは、同じ製造ラインで製造することができるとともに、梱包した状態で仕向地の変更ができる。
【００５４】
さらにまた、上記各実施形態においては、電子鍵盤楽器１００である装置を収容する梱包ダンボール２００についても梱包部材としての発明を構成する。すなわち、本発明の梱包部材は、収容された装置の所定位置に設けられたアンテナに対して外部からの無線信号による情報が送信される際に、その所定位置を判別するための表示が外面に施されていることを特徴とする。
【００５５】
また、上記各実施形態および変形例においては、仕向地が異なる電子鍵盤楽器を例に採って本発明を説明したが、本発明による情報制御システムを利用する装置は電子鍵盤楽器に限定されるものではない。輸出される仕向地によって一部の仕様が異なる製品において、仕様に関する情報をメモリに記憶させるような製品の全てに対しても、本発明を適用できることは明らかである。あるいは、仕向地にかかわらず、一部の仕様が異なる複数の製品を製造する場合に、共通する仕様に関する情報については製造プロセスにおいてあらかじめメモリに記憶し、異なる仕様に関する情報については、出荷又は保管の際に、本発明の情報制御システムによって梱包した状態で記憶させることが可能である。あるいはまた、将来において仕様の一部を変更する可能性がある製品の場合には、変更されない仕様に関する情報については製造プロセスにおいてあらかじめメモリに記憶し、変更の可能性がある仕様に関する情報については、出荷又は保管の際に、本発明の情報制御システムによって梱包した状態で記憶させることも可能である。すなわち、本発明は、上記各実施形態および変形例に限定されるものではなく、仕様に関する情報をメモリに記憶させるような製品に携わる全て当業者によって、容易に想到される他の実施形態および変形例についても本発明の技術範囲に属するものである。
【図面の簡単な説明】
【００５６】
【図１】本発明の情報制御システムの各実施形態において電子鍵盤楽器が梱包ダンボールに収容された状態を示す平面図。
【図２】各実施形態における情報制御システムの構成を示す外観図。
【図３】図１の電子鍵盤楽器の第１実施形態におけるシステム構成を示すブロック図。
【図４】図３のＲＦ・Ｉ／Ｆの内部構成を示すブロック図。
【図５】図２のリーダ・ライタ端末およびパソコンと、梱包ダンボールに収容された状態の電子鍵盤楽器との間における双方向通信を示す図。
【図６】図３のＧＡＴＥの内部構成を示す回路図。
【図７】第１実施形態において図３のＢＬＯＣＫ−ＡとＢＬＯＣＫ−Ｂとの間のデータ通信処理のフローチャート。
【図８】第１実施形態において伴奏データの格納アドレスのデータを示す図。
【図９】図１の電子鍵盤楽器の第２実施形態におけるシステム構成を示すブロック図。
【符号の説明】
【００５７】
１、１３  ＣＰＵ
４、１４  ＲＯＭ
５、１５  ＲＡＭ
１２  ＧＡＴＥ
１６  ＥＥＰＲＯＭ
１７  ＲＦ  Ｉ／Ｆ
１８  電池
１９  ミニマム・システム
１００  電子鍵盤楽器
１０１  アンテナ
２００  梱包ダンボール
２０２  仕向地ラベル
２０３  アンテナマーク
３００  リーダ・ライタ端末
４００  パソコン
４０２  表示装置
４０３  スピーカ
【図１】
2008143671.tif 000003
【図２】
2008143671.tif 000004
【図３】
2008143671.tif 000005
【図４】
2008143671.tif 000006
【図５】
2008143671.tif 000007
【図６】
2008143671.tif 000008
【図７】
2008143671.tif 000009
【図８】
2008143671.tif 000010
【図９】
2008143671.tif 000011